(57)【要約】【課題】  カーテンレールの幅の長さより、カーテンの幅の長さが長くても、カーテンレールの幅の長さに調整することができるリングチェーンである。【解決手段】カーテンレールの幅の長さに揃えたリングチェーン５に、ｃｍの単位で一定の幅間隔の長さが判別できる印を表示１し、カーテンフック４の数にカーテンレールのフックの数３を合わせ、リングチェーンの幅の長さをカーテンフックの数で割ると、カーテンフックの掛ける長さの位置を割り出される、その割り出された長さと、リングチェーンの印が表示１された位置に近いリングに、カーテンレールのフックとカーテンフックを掛けると、カーテンレールの幅の長さよりよりカーテンの幅が長くても、端のだぶつきをなくし、全体にむらのない状態で均一にカーテンを閉じることができる。【選択図】図２
2010082299.tif 000002
【特許請求の範囲】
【請求項１】
カーテンレールと同じ幅の長さに揃えたリングチェーンに、ｃｍの単位で一定の幅間隔に、複数の異なる長さが判別できる表示となりえるリングを備えた、カーテン調整リングチェーン。
【発明の詳細な説明】
【技術分野】
【０００１】
この発明は、カーテンレールより長いサイズのカーテンを使用しても、均一にむらのない状態でカーテンをカーテンレールの幅に合わせて閉じることが出来る、印し付きカーテン調整リングチェーンである。
【０００２】
カーテンレールより長いサイズのカーテンを使用することで、カーテンのヒダのボリュームアップを均一に、カーテンを閉じるだけで可能にすることが出来る、印し付きカーテン調整リングチェーンである。
【背景技術】
【０００３】
従来、カーテンレールの幅より、長いサイズの幅のカーテンを使用した場合、カーテンを最後まで引き終えるとカーテンの幅が余り、バランスが悪く見た目に良くなかった、そのために余ったカーテンを全体に均一にムラのない状態になるよう、感覚に頼ってカーテンを引いて調整していた、または端にカーテンが余ったままの状態で放っていた。
【発明の開示】
【発明が解決しようとする課題】
【０００４】
窓のサイズに合わせてカーテンレールを取り付け、カーテンレールの幅に合わせてカーテンを取り付けるのが通常のパターンである、しかしカーテンレールの幅と規格サイズのカーテンの幅が合わない場合、一般的にはオーダーカーテンを購入するケースが多い、しかし、規格サイズのカーテンと価格面で比較するとオーダーカーテンは割高である、カーテンレールの幅より、割安の長い幅の規格サイズのカーテンを購入しても、カーテンレールの幅に適応させることを目的とする。
【０００５】
カーテンのヒダのボリュームアップを、カーテンを閉じる通常の作業だけで可能にすることを、目的とする。
【課題を解決するための手段】
【０００６】
本発明は、カーテンレールと同じ幅の長さに揃えたリングチェーンに、複数の各センチ
の単位に、その長さの違いが判別できるようにリングの色違い、又はリングのサイズを変
える、又はリングの形を変えるなどをして、ｃｍの単位で一定の幅間隔に、複数の異なる
長さが判別できる表示となりえるリングを備えるとする。
【発明の効果】
【０００７】
カーテンレールの幅に合わせて、カーテンレールの幅より長いカーテンを、均一に余すことなく使えるため、端のだぶつきがなくなり、見た目が良くなり、オーダーカーテンの購入や、寸法直しの手間を省くものである。
【０００８】
カーテンのヒダのボリュームをアップしたい場合、カーテンレールの幅より、幅の長い
カーテンを取り付けると、カーテンを閉じるだけで、その幅の長い分を全体にむらのない状態で均一にヒダのボリュームのアップが可能になり、高級感の演出ができる。
【発明を実施するための最良の形態】
【０００９】
以下、本発明の一つの例です。
１００センチ幅のカーテンレールに対し、１４０センチ幅のカーテンを使用する場合、カーテンのフックが１４センチ間隔に１１個あるとすると、カーテンレールにも１１個のフックが必要である、しかし、その状態でカーテンを引き終えると、カーテンの幅がカーテンレールの幅より４０センチ長いため、カーテンが端に４０センチ余った状態になる。
【００１０】
カーテンレールと同じ幅の長さに揃えたカーテン調整リングチェーンは、ｃｍの単位で
一定の幅間隔にリングに目印を付けている、５センチの間隔だけに印を付けているとする
と、この場合、カーテン調整リングチェーンは１００センチの長さなので２１個の印が付
いている。
【００１１】
カーテン調整リングチェーンに５センチ間隔に印が付いるため、５センチの２倍の１０
センチ間隔の印のリングに、１１個のカーテンフックを掛けることができる。
【００１２】
カーテンレールが１００センチの幅でカーテンレールフックの数量は１１個だが、最終のフックは移動しないため数えないとする、カーテンレールの幅の１００センチをカーテンフックの１０個で割ると１０センチ間隔がカーテンレールに適応する長さになる、しかし、カーテンフックは１４センチ間隔である。
【００１３】
１０センチ間隔のカーテンレーンフックに、１４センチ間隔のカーテンフックを掛ける
と４センチ分のカーテンが長くなるが、カーテンを閉じた時、１４センチは均一に１０セ
ンチの間隔で、４センチ分がヒダとしてボリュームアップされた形状で並んでおり、見た
目も良く、端のだぶつきも解消される。
【図面の簡単な説明】
【００１４】
【図１】印し付きリングチェーンの正面図。
【００１５】
【図２】印し付きリングチェーンに、カーテンレールのフックとカーテンフックを掛けて、裏側から見た正面図。
【符号の説明】
【００１６】
１、ｃｍの単位で一定の幅間隔に印を付けたリング
２、カーテンレール
３、カーテンレールのフック
４、カーテンフック
５、リングチェーン
【図１】
2010082299.tif 000003
【図２】
2010082299.tif 000004
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
左右の横方向に移動させて開閉するカーテンであって、カーテンフックに係掛可能で連続結合に配列されたリングチェーンなどの部材を設けることにより、カーテンのヒダ部が一定の間隔の幅の長さに統一されカーテン全体の長さを調整可能とし、係掛可能な連続結合に配列されたリングチェーンなどの部材には一定の間隔の幅の長さが判別できる目印を備えた、カーテン調整器具。
【手続補正３】
【補正対象書類名】明細書
【補正対象項目名】０００１
【補正方法】変更
【補正の内容】
【０００１】
この発明は、カーテンレールの幅より長いサイズのカーテンを使用しても、均一にむらのない状態でカーテンをカーテンレールの幅に合わせて閉じることが出来る、カーテン調整器具である。
【手続補正４】
【補正対象書類名】明細書
【補正対象項目名】０００２
【補正方法】変更
【補正の内容】
【０００２】
この発明は、カーテンレールの幅より長いサイズのカーテンを使用することで、カーテンのヒダのボリュームアップを均一に揃えることを、カーテンを閉じるだけで可能にすることが出来る、カーテン調整器具である。
【手続補正５】
【補正対象書類名】明細書
【補正対象項目名】０００６
【補正方法】変更
【補正の内容】
【０００６】
カーテンフックに係掛可能で連続結合に配列された形状のリングチェーンを、カーテンレールと同じ長さに設け、該リングチェーンには一定の間隔の幅の長さが判別できるようにリングの色違い、リングのサイズを変える、リングの形を変えるなどをして目印となる表記を設ける。
【手続補正６】
【補正対象書類名】明細書
【補正対象項目名】０００７
【補正方法】変更
【補正の内容】
【０００７】
カーテンレールの幅より長いカーテンであっても、カーテンのヒダ部の幅の長さを調整し統一させることで、カーテン全体を余すことなく使えるため、端のだぶつきがなくなり、オーダーカーテンの購入や、寸法直しの手間を省くものである。
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
左右の横方向に移動させて開閉するカーテンであって、カーテンフックに係掛可能で連続結合に配列されたリングチェーンなどの部材を設けることにより、カーテンのヒダ部が一定の間隔の幅の長さに統一されカーテン全体の長さを調整可能とし、係掛可能な連続結合に配列されカーテンレールと同じ幅に揃えたリングチェーンなどの部材に、複数の各センチの単位に、その長さの違いが判別できるようにリングの色違い、又はリングのサイズを変える、又はリングの形を変えるなどをして、ｃｍの単位で一定の幅間隔に、複数の異なる長さが判別できる表示となりえるリングを備えた、カーテン調整器具。
【手続補正２】
【補正対象書類名】明細書
【補正対象項目名】０００６
【補正方法】変更
【補正の内容】
【０００６】
本発明は、カーテンフックに係掛可能で連続結合に配列された形状のリングチェーンを、カーテンレールと同じ幅に揃えたリングチェーンなどの部材に、複数の各センチの単位に、その長さの違いが判別できるようにリングの色違い、又はリングのサイズを変える、又はリングの形を変えるなどをして、ｃｍの単位で一定の幅間隔に、複数の異なる長さが判別できる表示となりえるリングを備えるとする。